(57)【要約】      （修正有）【課題】経済性にも優れた緑化装置に関する技術を提供する。【解決手段】植物を生育する植生基盤が充填される多面体の緑化装置本体部と、前記緑化装置本体部の一面側に設けられ、当該緑化装置本体部の上端よりも上方に延出する延出部と、を備える。【選択図】図１
2016208940.tif 000002
【特許請求の範囲】
【請求項１】
植物を生育する植生基盤が充填される多面体の緑化装置本体部と、
前記緑化装置本体部の一面側に設けられ、当該緑化装置本体部の上端よりも上方に延出する延出部と、を備える緑化装置。
【請求項２】
前記延出部は、上部が折り返された折返し部を有する、請求項１に記載の緑化装置。
【請求項３】
前記緑化装置本体部は、対向面を連結する補強部を更に備える、請求項１又は２に記載の緑化装置。
【請求項４】
多面体の緑化装置を用いた緑化方法であって、
前記緑化装置は、
植物を生育する植生基盤が充填される多面体の緑化装置本体部と、
前記緑化装置本体部の一面を構成し、当該緑化装置本体部の上端よりも上方に延出部と、を備え、
当該緑化方法は、前記植生基盤に植物を植え付けて緑化装置を養生する養生工程と、
養生後の緑化装置を道路に沿って列状に設置する設置工程と、を含む、緑化方法。
【発明の詳細な説明】
【技術分野】
【０００１】
本発明は、緑化装置、及び緑化方法に関する。
【背景技術】
【０００２】
種々の柵がある。例えば、特許文献１には、ベランダ（屋上）の障壁上に固定した転落防護柵が開示されている。また、特許文献２には、道路に沿い間隔をあけて地上に建てた支柱にブラケットを取り付け、左右のビームパイプをブラケットとボルト接合して成る道路用防護柵が開示されている。また、特許文献３には、歩行者または車両の通行を区画する防護柵であって、複数の多面緑化体で構成され、多面緑化体が、有孔構造の箱体と、箱体に収容した植生基盤と、箱体の複数の面に予め植生した植物とからなり、隣り合う各多面緑化体を隣接させて横列状に配置して構成したことを特徴とする、防護柵が開示されている。
【０００３】
【特許文献１】特開平１１−１４０９７０号公報
【特許文献２】特開２０１１−４２９２５号公報
【特許文献３】特開２００７−４００２４号公報
【発明の概要】
【発明が解決しようとする課題】
【０００４】
構造物の屋上等に設置される転落防止柵、道路に沿って設置される防護柵など、種々の柵がある。また、植物によって緑化された防護柵がある。例えば、特許文献３に記載の防護柵によれば、設置当初から立体的に緑化された防護柵を提供できる。ここで、防護柵は、設置場所や用途に応じた高さの設計が求められる。例えば、特許文献３に記載のような箱体の防護柵は、高さが高くなるにつれて大型化する。特許文献３に記載の防護柵は、内部に植生基盤が充填されている。この植生基盤は、防護柵の安定性を確保するために必要な量が充填されていればよい。換言すると、防護柵が大型化すると防護柵の安定性を確保するために必要な量を上回る植生基盤が充填され、防護柵の重量が増加し、防護柵の運搬や移動が困難となる。また、防護柵が大型化すると材料のコストアップが懸念される。
【０００５】
本発明は、上記の問題に鑑み、経済性に優れた緑化装置に関する技術を提供することを課題とする。
【課題を解決するための手段】
【０００６】
本発明は、上述した課題を解決するために、緑化装置の本体は、安定性を確保する上で必要な容量とし、緑化装置の一面を上方に延出させることとした。
【０００７】
詳細には、本発明は、植物を生育する植生基盤が充填される多面体の緑化装置本体部と、前記緑化装置本体部の一面側に設けられ、当該緑化装置本体部の上端よりも上方に延出する延出部と、を備える緑化装置である。
【０００８】
本発明に係る緑化装置は、緑化装置本体部の一面側に、緑化装置本体部の上端よりも上方に延出する延出部を備えることで、設置場所や用途に応じて自由に高さを調整することができる。高さを延出部で調整することで、緑化装置本体部の容量は、緑化装置の安定性を確保する上で必要な容量とすればよい。したがって、必要以上に緑化装置の重量が増加することを抑制できる。また、材料のコストアップを抑制できる。そのため、経済性に優れた緑化装置を提供できる。また、植生基盤には、緑化装置の設置場所とは異なる場所で予め植物を植生してもよい。予め植物を植生することで、設置当初より緑化することがで
きる。また、設置場所において植物を植える手間を省くことができ、施工性が向上する。更に、植物の植えつけは、熟練度によって完成後の見栄えや植物の生育に影響を与えることが懸念されるが、本発明では予め植物が植生されていることからそのような懸念も解消される。なお、植物は、設置場所（現場）で植生してもよい。
【０００９】
本発明に係る緑化装置は、例えば道路に沿って配置することで、防護柵として機能させることができる。また、本発明に係る緑化装置は、建物の屋上やバルコニーなど、建物の平面部の縁に沿って配置することで、防護柵や転落防止柵などの柵として機能させることができる。
【００１０】
緑化装置本体部及び延出部は、格子状又は複数孔を有する平板状の部材を組み合わせた枠体によって構成することができる。また、緑化装置本体部は、枠体の内側に配置され植生基盤を内包すると共に通気性を有するマットと、植生基盤とを更に備える構成とすることができる。枠体とは、緑化装置本体部や延出部を構成する構造体である。枠体は、通気性と十分な強度を有していればよく、その態様は特に限定されない。マットは、枠体の内側に設けられ、植生基盤が外部へ漏れるのを防止する。接続部材の態様は特に限定されず、緑化装置本体部や延出部の枠体同士を接続できるものであればよい。枠体を格子状とする場合、接続部材は、螺旋状の接続部材によって構成することができる。螺旋状の接続部材を接続部材の軸方向を中心に回転させ、螺旋状の接続部材の先端を緑化装置本体部の枠体と延出部の枠体とが接続された端部における格子に順次通していくことで、緑化装置本体部の枠体と延出部の枠体とを接続することが可能となる。
【００１１】
植生基盤とは、緑化装置に植えられる植物を生育するための土台を意味する。植生基盤は、保水性の高い軽量土壌を用いることが好ましいが、植物を生育できるものであればよい。本発明に係る緑化装置は、多面構造とすることができる。面数は、限定されないが、例えば、緑化装置は６面体とすることができる。
【００１２】
ここで、前記延出部は、上部が折り返された折返し部を有する構成としてもよい。これにより、緑化装置の強度をより向上することができる。
【００１３】
また、前記緑化装置本体部は、対向面を連結する補強部を更に備える構成としてもよい。これにより、緑化装置の強度をより向上することができる。
【００１４】
また、前記緑化装置本体部及び前記延出部は、枠体の一例として、網状部材によって構成され、当該網状部材は、横方向に延出する波状の横部材であって、縦方向に複数配置される横部材と、前記横部材と直交するように該横部材と連結される縦部材とを有し、前記複数の横部材は、当該緑化装置の側面と直交する方向において波状であり、波の周期が縦方向において一致している構成としてもよい。本発明に係る緑化装置では、横部材が波状に形成される、換言すると、横方向において、凹部と凸部が交互に配置される。また、波が縦方向において周期が一致している。つまり、凹部や凸部が縦方向において直線状に並んでいる。換言すると、凹部や凸部内に形成される空間が、縦方向において、直線状に形成される。その結果、空間が形成されることで、植物がより絡みやすくなり、また、その空間が縦方向に直線状に形成されることで、絡まった植物の上方が開放され、植物の生育方向が妨げられることもない。よって、本発明に係る緑化装置は、植物が絡みやすく、生育するうえで良好な環境を提供することができる。更に、本発明に係る緑化装置は、植物が絡みやすいことから、植生面が均一にむらなく植物により被覆され、美観にも優れている。
【００１５】
また、本発明は、緑化方法として特定することもできる。例えば、本発明は、多面体の緑化装置を用いた緑化方法であって、前記緑化装置は、植物を生育する植生基盤が充填さ
れる多面体の緑化装置本体部と、前記緑化装置本体部の一面を構成し、当該緑化装置本体部の上端よりも上方に延出部と、を備え、当該緑化方法は、前記植生基盤に植物を植え付けて緑化装置を養生する養生工程と、養生後の緑化装置を道路に沿って列状に設置する設置工程と、を含む、緑化方法である。
【００１６】
本発明に係る緑化方法によれば、緑化装置によって道路の防護柵を構築することができる。
【発明の効果】
【００１７】
本発明によれば、経済性に優れた緑化装置に関する技術を提供することができる。
【図面の簡単な説明】
【００１８】
【図１】図１は、第１実施形態に係る緑化装置の設置状況の一例の斜視図を示す。
【図２】図２は、第１実施形態に係る緑化装置の金網の背面図を示す。
【図３】図３は、第１実施形態に係る緑化装置の金網の側面図を示す。
【図４】図４は、第１実施形態に係る緑化装置の金網の平面図を示す。
【図５】図５は、第１実施形態に係る緑化装置の断面図（初期）を示す。
【図６】図６は、第１実施形態に係る緑化装置の断面図（中期〜後期）を示す。
【図７】図７は、第１実施形態に係る緑化方法の工程図を示す。
【図８】図８は、その他の実施形態に係る緑化装置の設置状況の一例の斜視図を示す。
【図９】図９は、第２実施形態に係る緑化装置の断面図を示す。
【図１０】図１０は、第３実施形態に係る緑化装置の断面図を示す。
【発明を実施するための形態】
【００１９】
次に、本発明の第１実施形態について図面を基づいて説明する。なお、以下で説明する第１実施形態は本発明を実施するための例示であり、本発明は以下で説明する態様に限定されない。
【００２０】
＜第１実施形態＞
＜＜緑化装置の構成＞＞
図１は、第１実施形態に係る緑化装置の設置状況の一例の斜視図を示す。図１に示すように、第１実施形態に係る緑化装置１００は、道路２００に沿って、より詳細には車道２０１と歩道２０２の境界に列状に並べて配置することで柵として機能させることができる。以下、本明細書では、特に言及する場合を除いて、緑化装置１００の正面側（延出部側）を“前”と定義し、背面側を“後”と定義する。また、緑化装置１００の天面側を“上”と定義し、反対側（底側）を“下”と定義する。また、緑化装置１００の側壁側は、前方から見て右側を“右”、前方から見て左側を“左”と定義するが、左右を特に区別する必要が無い場合には、“側方”又は“横方向”とする。
【００２１】
図２は、第１実施形態に係る緑化装置の金網の背面図を示す。図３は、第１実施形態に係る緑化装置の金網の側面図を示す。図４は、第１実施形態に係る緑化装置の金網の平面図を示す。図５は、第１実施形態に係る緑化装置の断面図（初期）を示す。図６は、第１実施形態に係る緑化装置の断面図（中期〜後期）を示す。
【００２２】
緑化装置１００は、例えば図５、図６に示すように、正面、背面、上面、下面、２つの側面の６面からなる箱型形状（６面体）の金網の本体部１０と、本体部の正面１１を構成すると共に、金網の本体部１０の上端よりも高い位置まで延出する金網の延出部２０と、金網の本体部１０の内側に配置されるマット３０と、マット３０内に充填される植生基盤としての軽量土壌４０と、を備える。第１実施形態では、各面の平面形状を四角形とした
が、各面の平面形状は、四角形以外の多角形としてもよい。また、緑化装置１００は、６面体以外の多面体構造としてもよい。また、金網に代えて樹脂製の網を用いてもよい。
【００２３】
例えば、図２、図３、図４に示すように、金網の本体部１０は、箱型形状であり、本体部の正面１１、本体部の側面１２，１２、本体部の背面１３、本体部の下面１４によって構成されている。但し、第１実施形態では、本体部の正面１１は、延出部の正面２１と共通部材で構成されている。すなわち、延出部の正面２１のうち、本体部の背面１３、本体部の側面１２，１２の上端と同じ高さまでの領域が本体部の正面１１として機能する。なお、本体部の正面１１は、延出部の正面２１と別部材とし、本体部の正面１１と延出部の正面１２とをラップさせてもよい。第１実施形態では、本体部の正面１１としても機能する延出部の正面２１と本体部の背面１３が対向し、かつ、延出部の正面２１と本体部の背面１３の夫々の下端に本体部の下面１４が連なっている。換言すると、延出部の正面２１、本体部の下面１４、本体部の背面１３は、側面視Ｕ字状に一体的に形成されている。そして、横方向の開放している領域に本体部の側面１２，１２が連結されている。その結果、金網の本体部１０は、上部が開放する箱型形状となっている。
【００２４】
金網の延出部２０は、本体部の下面１４に連なり、金網の本体部１０の上端よりも高い位置まで延出している。金網の延出部２０は、延出部の正面２１、延出部の側面２２，２２、延出部の上面２３、延出部の垂下部２４によって構成されている。延出部の正面２１の横方向の両端部には、延出部の側面２２，２２が直交するように連なっている。延出部の側面２２，２２は、金網の本体部１０の天端よりも高く、かつ、金網の延出部２０の天端よりも低く形成されている。延出部の側面２２，２２の後方側の端部のうち、金網の本体部１０の天端よりも低い領域においては、本体部の側面１２，１２の前方側の端部と、螺旋形状の連結部材５０によって連結されている。本体部の側面１２，１２の後方側の端部は、本体部の背面１３の横方向の両端部と、連結部材５０によって連結されている。なお、延出部の側面２２，２２と本体部の側面１２，１２は、ラップさせてもよい。延出部の正面２１の上端には、延出部の上面２３が後方側に直交するように連なっている。延出部の上面２３の前後方向の長さは、延出部の側面２２，２２の前後方向の長さと同じに設計されている。延出部の上面２３の後方側の端部には、延出部の垂下部２４が延出部の上面２３と直交するように、延出部の側面２２，２２の上端よりも高い位置まで垂れ下がっている。延出部の側面２２，２２、延出部の上面２３、延出部の垂下部２４は、緑化装置１００を補強する。特に、延出部の側面２２，２２、延出部の上面２３、延出部の垂下部２４は、延出部２０の歪みを抑制する。
【００２５】
また、第１実施形態では、金網の本体部１０は、横方向の中央付近に、本体部の側面１２，１２と平行に、本体部の仕切１５が設けられ、金網の本体部１０内の空間が第１空間１６と第２空間１７に仕切られている。本体部の仕切１５は、本発明の補強部の一例であり、前方側の端部が延出部の正面２１のうち本体部の正面１１として機能する領域と連結部材５０で連結されている。また、本体部の仕切１５は、後方側の端部が、本体部の背面１３と連結部材５０で連結されている。また、第１空間１６と第２空間１７には、各空間の横方向の中央付近、かつ上部に、延出部の正面２１のうち本体部の正面１１として機能する領域と本体部の背面１３とに連結された補強線１８が、それぞれ連結されている。補強線１８も、本発明の補強部の一例である。なお、本体部の仕切１５や補強船１８を省略し、緑化装置１００は、より簡易な構成としてもよい。
【００２６】
金網の本体部１０及び金網の延出部２０は、平板状の金網に対して折り曲げ加工と溶接が施されることで、各面が形成されている。金網の材質は、例えば、亜鉛とアルミニウム合金メッキの鉄線とすることができる。金網の本体部１０及び金網の延出部２０は、格子の横方向を構成する横部材が、折り曲げ加工が施されることで、波状に形成されている。これに対し、格子の縦方向（上下方向）を構成する縦部材は、直線状である。横部材の波
状のうち、金網の本体部１０の外側に向けて突出した突出部３が縦方向に直線状に並ぶように、突出部３と突出部３との間において、縦部材と横部材とが溶接によって連結されている。横部材が突出部３を有することで、横部材とマット３０の表面との間に空間が形成され、植物５が金網の本体部１０や金網の延出部２０に対して絡みやすくなる。緑化装置１００には、蔓類の植物５を植えつけることが好ましく、突出部３を縦方向に直線状に配置することで上方に延びる蔓類が絡みやすくなる。なお、金網の本体部１０及び金網の延出部２０は、その一部を突出部３がないフラットな金網で構成してもよい。
【００２７】
マット３０は、金網の本体部１０の内側に配置され、充填される植生基盤としての軽量土壌４０が外部に漏れるのを抑制する。第１実施形態では、金網の本体部１０内の空間が、本体部の仕切１５によって、第１空間１６と第２空間１７に仕切られている。そのため、マット３０は、第１空間１６及び第２空間１７の周面と下面を覆うように配置されている。なお、第１実施形態では、軽量土壌４０の上面にマット３０は設けられていないが、上面にもマット３０を設けてもよい。マット３０は、通気性と軽量土壌４０を保持する強度を有していればよく、第１実施形態ではマット３０にファイバーマットが用いられている。ファイバーマットは、ポリエステルシートと天然椰子繊維からなるシートを張り合わせることで構成されている。なお、ファイバーマットに代えてリサイクルＰＥＴからなるシートやフェルトを用いてもよい。
【００２８】
マット３０のうち、マットの下面以外には、植物５を植えるための複数の切り込みが形成されている。そして、この切り込みから植物５の根が軽量土壌４０に植えつけてある。マット３０に植え付けられる植物には、蔓性植物としてのテイカカズラが例示される。また、天面に植生される植物５には、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどの草木が例示される。
【００２９】
軽量土壌４０は、マット３０の内側に充填され、植え付けら得た植物５に対して水分を供給する。第１実施形態では、本発明の植生基盤として保水性に優れた無機質の軽量土壌を用いているが、軽量土壌に代えて既存の他の土壌を用いてもよい。
【００３０】
連結部材５０は、金網の本体部１０を構成する金網同士（例えば、延出部の側面２２，２２と本体部の側面１２，１２、本体部の背面１３と本体部の側面１２，１２、本体部の仕切１５と延出部の正面２１と本体部の背面１３）の連結、金網の本体部１０と金網の延出部２０との連結に用いられる。連結部材５０は、金網の本体部１０や金網の延出部２０と同素材であり、螺旋形状を有する。連結部材５０は、例えば延出部の側面２２，２２の後方側の端部と、本体部の側面１２，１２の前方側の端部とが接する状態で、連結部材５０の軸方向を中心に連結部材５０を回転させ、連結部材５０の先端を金網の格子に順次通すことで、延出部の側面２２，２２と、本体部の側面１２，１２との連結が可能となる。連結部材５０は、螺旋形状を有する上記連結部材５０に代えて、金網を挟み込んで固定するクリップ、ユニット金網を結束する結束クリップなどを用いてもよい。
【００３１】
＜＜緑化方法＞＞
次に、上述した緑化装置１００を用いた緑化方法について説明する。図７は、第１実施形態に係る緑化方法の工程図を示す。なお、図７に示す緑化方法の工程順序は一例であり、工程順序は適宜入れ替えることができる。
【００３２】
組立工程（ステップS０１）では、緑化装置１００が組み立てられる。まず、側面視Ｕ
字状に一体的に形成された、延出部の正面２１、本体部の下面１４、本体部の背面１３の横方向の開放している領域に本体部の側面１２，１２が連結部材５０によって連結される。具体的には、延出部の側面２２，２２の後方側の端部のうち、金網の本体部１０の天端
よりも低い領域が、本体部の側面１２，１２の前方側の端部と、螺旋形状の連結部材５０によって連結される。なお、延出部の正面２１には、延出部の上面２３が連なり、延出部の上面２３には延出部の垂下部２４が連なっている。
【００３３】
次に、金網の本体部１０の横方向の中央付近に、本体部の側面１２，１２と平行に、本体部の仕切１５が連結され、金網の本体部１０内の空間が第１空間１６と第２空間１７に仕切られる。本体部の仕切１５は、延出部の正面２１、本体部の背面１３と連結部材５０で連結される。また、第１空間１６と第２空間１７には、各空間の横方向の中央付近、かつ上部に、延出部の正面２１と本体部の背面１３とを跨ぐように、補強線１８が連結される。次に、マット３０が、金網の本体部１０の内側に配置される。第１実施形態では、金網の本体部１０内の空間が、本体部の仕切１５によって、第１空間１６と第２空間１７に仕切られている。そのため、マット３０は、第１空間１６及び第２空間１７の周面と下面を覆うように配置される。次に、軽量土壌４０が、マット３０の内側に充填される。その後、植物５が植え付けられる。マット３０には、複数の切り込みが形成されており、この切り込みから植物５の根を軽量土壌４０に植え付けることができる。マットの下面以外の面には、蔓性植物としてのテイカカズラが植えられる。なお、天面には、例えば、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどが植えられる。
【００３４】
養生工程（ステップＳ０２）では、一定期間養生され、植物５が生育される。養生工程における一定期間は、植生する植物５の種類、緑化装置１００の大きさ、緑化する面積等に基づいて適宜決定することができる。なお、養生工程は、緑化装置１００の設置場所とは異なる場所で行うことが好ましい。これにより、設置場所における作業負担を軽減することができ、また、設置場所に植物５を生育するための場所を確保する必要もない。緑化装置１００の設置場所とは異なる場所には、植生工場や植物の栽培地が例示される。
【００３５】
運搬工程（ステップＳ０３）では、予め植物５が植えられた緑化装置１００が、トラックなどの運搬車両によって、緑化装置１００の設置場所まで運搬される。
【００３６】
設置工程（ステップＳ０４）では、図１に示すように、運搬された緑化装置１００が道路２００に沿って、より詳細には車道２０１と歩道２０２の境界部分に列状に設置される。ここで、図８は、その他の実施形態に係る緑化装置の設置状況の一例の斜視図を示す。緑化装置１００は、図８に示すように、建物３００の平面部としてのバルコニー３０１の縁に並べるようにしてもよい。
【００３７】
＜＜効果＞＞
以上説明した第１実施形態に係る緑化装置１００によれば、緑化装置１００の正面側に、金網の本体部１０の上端よりも上方に延出させた金網の延出部２０を設けることで、設置場所や用途に応じて自由に高さを調整することができる。高さを金網の延出部２０で調整することで、金網の本体部１０の容量を抑えることができる。金網の本体部１０の容量は、緑化装置１００の安定性を確保する上で必要な容量とすればよい。したがって、必要以上に重量が増加することを抑制できる。また、金網の本体部１０及び金網の延出部２０に用いる金網、マット３０、軽量土壌４０といった材料のコストアップを抑制できる。また、植生基盤としての軽量土壌４０には、予め植物が植生されているため、設置後初期の段階から緑化することができる。また、設置場所において植物５を植える手間を省くことができ、施工性が向上する。更に、植物５の植えつけは、熟練度によって完成後の見栄えや植物の生育に影響を与えることが懸念されるが、第１実施形態に係る緑化装置１００は、予め植物５が植生されていることからそのような懸念も解消される。
【００３８】
また、第１実施形態に係る緑化装置１００は、道路２００に沿って設置することで、防護柵として機能させることができる。また、第１実施形態に係る緑化装置１００は、建物３００の屋上やバルコニー３０１など、建物３００の平面部の縁に沿って設置することで、防護柵や転落防止柵などの柵として機能させることができる。また、延出部の側面２２，２２、延出部の上面２３、延出部の垂下部２４により、緑化装置１００の強度を向上することができる。延出部の側面２２，２２、延出部の上面２３、延出部の垂下部２４により、延出部２０の歪みを抑制することができ、柵としての機能を十分に発揮させることができる。
【００３９】
また、第１実施形態に係る緑化装置１００では、金網の本体部１０に本体部の仕切１５及び補強線１８が連結されている。そのため、緑化装置１００の強度をより向上することができる。
【００４０】
＜第２実施形態＞
次に、第２実施形態に係る緑化装置１００について説明する。第２実施形態に係る緑化装置１００は、内部構造が異なっており、軽量土壌４０の乾燥を抑制するため、保水トレイ５１等が更に設けられている。以下、第１実施形態と同様の構成については、同一符号を付し、説明は割愛する。
【００４１】
緑化装置１００は、上述したように、道路２００に沿って設置し防護柵として機能させ、又は、建物３００の屋上やバルコニー３０１など、建物３００の平面部の縁に沿って設置して防護柵や転落防止柵などの柵として機能させることができる。ここで、緑化装置１００は、軽量土壌４０の乾燥を抑制して植物５を維持するため、定期的な水やり等の管理が必要とされる。緑化装置１００を道路２００や建物３００の屋上等に設置する場合、特に夏場では、水やり等の管理を頻繁に行うことが求められる。このような問題に鑑み、第２実施形態に係る緑化装置１００は、軽量土壌４０の乾燥を抑制し、水やり等の管理負担を低減できる工夫が施されている。
【００４２】
具体的には、第２実施形態に係る緑化装置１００は、植生基盤（例えば、軽量土壌４０）の乾燥を抑制する乾燥抑制部として、保水トレイ５１、断熱部材５２を備える。保水トレイ５１は、軽量土壌４０中の水分を一時的に溜めるもので、底と、底から立ち上げられた壁とを有する。第２実施形態では、一つの保水トレイ５１が、本体部の下面１４よりもやや高い位置において、軽量土壌４０中に埋設されている。なお、保水トレイ５１は、複数の凹部を有するものでもよい。また、複数の保水トレイ５１を、例えば間隔あけて、複数埋設してもよい。また、壁は、集水し易いよう、底に向けて狭くなるように傾斜する傾斜壁としてもよい。断熱部材５２は、緑化装置１００の内部と外部との熱移動（熱伝達）を抑制する。断熱部材５２は、本体部の下面１４近傍に設けられている。
【００４３】
第２実施形態に係る緑化装置１００によれば、保水トレイ５１により、軽量土壌４０中の水分を一時的に溜めることができる。その結果、保水トレイ５１が無い場合と比較して、軽量土壌４０の乾燥を抑制できる。また、第２実施形態に係る緑化装置１００によれば、断熱部材５２により、緑化装置１００の下部において、軽量土壌４０と外部（外気）との熱移動を抑制することができる。緑化装置１００を道路２００や建物３００の屋上等に設置する場合、特に夏場では、照り返しによる、緑化装置１００の軽量土壌４０温度上昇による乾燥が懸念される。第２実施形態に係る緑化装置１００は、下面に断熱部材５２を備えることで、照り返し等による、軽量土壌４０の温度上昇による乾燥を抑制できる。以上により、第２実施形態に係る緑化装置１００は、軽量土壌４０の乾燥を抑制し、水やり等の管理負担を低減できる。
【００４４】
ここで、保水トレイ５１には、土壌改良材を配置してもよい。土壌改良材は、肥料成分
、水の吸収機能、水の腐敗抑制機能等を有するものが例示される。例えば、土壌改良材には、クリノゼオライトが挙げられる。土壌改良材は、軽量土壌４０内の水分が溜まり易い領域に更に配置してもよい。例えば、保水トレイ５１の下方に土壌改良材を配置してもよい。これにより、保水トレイ５１の周囲や間を通過した水分を吸水し、また、水の腐敗を抑制できる。
【００４５】
なお、軽量土壌４０の乾燥を更に抑制するため、乾燥抑制部として、軽量土壌４０の側面を覆うように（第１空間１６及び第２空間１７の周面を覆うように）、マット３０の内側に、乾燥抑制部としての樹脂シート（例えば、ビニールシート）を配置してもよい。樹脂シートには、マット３０と同じく、植物５を植えるための複数の切り込みを形成するとよい。樹脂シートを配置することで、緑化装置１００について、軽量土壌４０の側面からの乾燥を抑制できる。また、マット３０を上面に設け、軽量土壌４０の上面からの乾燥を抑制するようにしてもよい。また、上面に設けるマット３０に代えて、砕石等を敷設してもよい。
【００４６】
また、断熱部材５２の下方には、マット３０を設けず、断熱部材５２の上側に透水シートを配置し、断熱部材５２の下側に樹脂製の角目ネット（例えば、トリカルネット）を配置してもよい。透水シートは、通気性、透水性、及び軽量土壌４０を保持する強度を有していればよい。透水シートには、マットと同じくファイバーマットやリサイクルシートＰＥＴからなるシートやフェルトを用いることができるが、同素材を用いる場合でも、マット３０よりも厚くするとよい。角目ネットは、適度の通気性を確保しつつ、断熱部材５２を支持する。これにより、適度な通気性を確保し、緑化装置１００下部における水の腐敗を抑制することができる。
【００４７】
なお、第２実施形態で説明した、保水トレイ５１、断熱部材５２等の内部構造は、軽量土壌４０の乾燥抑制が必要とされる種々の緑化装置１００に適用できる。
【００４８】
＜第３実施形態＞
次に、第３実施形態に係る緑化装置１００について説明する。第３実施形態に係る緑化装置１００は、延出部の正面２１および延出部の側面２２，２２を有せず、内部には第２実施形態で説明した、乾燥抑制部としての、保水トレイ５１や断熱部材５２が設置されている。すなわち、第３実施形態に係る緑化装置１００は、第１実施形態や第２実施形態とは異なる緑化装置１００に保水トレイ５１や断熱部材５２を適用した場合の一例である。
【００４９】
より詳細には、第３実施形態に係る緑化装置１００は、金網の本体部１０を備え、金網の本体部１０は、箱型形状であり、本体部の正面１１、本体部の側面１２，１２（図示せず）、本体部の背面１３、本体部の下面１４によって構成されている。金網の本体部１０の内側にはマット３０が配置され、更に軽量土壌４０が充填されている。また、本体部の下面１４よりもやや高い位置において、軽量土壌４０中に、間隔をあけて、保水トレイ５１が複数埋設されている。また、断熱部材５２が、本体部の下面１４近傍に設けられている。
【００５０】
第３実施形態に係る緑化装置１００によれば、設置場所を緑化することができる。また、保水トレイ５１や断熱部材５２を備えることで、軽量土壌４０の乾燥を抑制し、水やり等の管理負担を低減できる。
【００５１】
以上、本発明の好適な実施形態を説明したが、本発明に係る緑化装置はこれらに限らず、可能な限りこれらの組み合わせを含むことができる。
【符号の説明】
【００５２】
３・・・突出部
５・・・植物
１０・・・金網の本体部
２０・・・金網の延出部
３０・・・マット
４０・・・軽量土壌
５０・・・連結部材
１００・・・緑化装置
２００・・・道路
３００・・・建物
【図１】
2016208940.tif 000003
【図２】
2016208940.tif 000004
【図３】
2016208940.tif 000005
【図４】
2016208940.tif 000006
【図５】
2016208940.tif 000007
【図６】
2016208940.tif 000008
【図７】
2016208940.tif 000009
【図８】
2016208940.tif 000010
【図９】
2016208940.tif 000011
【図１０】
2016208940.tif 000012